【手続補正書】
【提出日】平成17年11月22日(2005.11.22)
【手続補正１】
【補正対象書類名】明細書
【補正対象項目名】特許請求の範囲
【補正方法】変更
【補正の内容】
【特許請求の範囲】
【請求項１】  遊技者が所定の遊技を実行可能であり、所定の遊技の結果として特定結果が得られたときに遊技者にとって有利な特定遊技状態とする遊技機であって、
遊技演出に用いられる画像を表示する画像表示装置と、
動き補償予測符号化による圧縮データを含む動画像データを格納する圧縮データ格納手段と、
前記圧縮データ格納手段に格納されている動画像データから画像データを復号して、所定の格納領域にフレーム単位で格納するデータ伸張手段と、
前記データ伸張手段によって所定の格納領域に格納された画像データを用いて、フレーム毎に画像を前記画像表示装置に順次表示させることによって動画再生を行うデータ再生手段と、
所定の静止対象画像を表示するときに、前記データ伸張手段によって所定の格納領域に格納されている新たなフレームの画像データを用いた画像の表示を、前記データ再生手段に停止させる画像表示停止手段と、
前記画像表示停止手段によって新たな画像データを用いた画像の表示が停止された後、所定の格納領域に格納された静止対象画像データを用いて前記静止対象画像の表示を繰り返し実行することにより、該静止対象画像を静止表示する静止対象画像表示手段と、
前記静止対象画像表示手段による前記静止対象画像の静止表示が完了したあと、前記画像表示停止手段に停止させられた新たなフレームの画像データを用いた画像の表示を前記データ再生手段に開始させて、前記動画像の動画再生を行わせる動画再生開始手段とを含む
ことを特徴とする遊技機。
【請求項２】 
発光体、音出力装置および前記画像表示装置を用いた遊技演出の制御を遊技演出のパターン毎に予め定められたプロセスデータに従って行う演出制御手段と、
前記データ伸長手段と、前記データ再生手段と、前記画像表示停止手段と、前記静止対象画像表示手段と、前記動画再生開始手段とを含み、前記演出制御手段からの指示に従って、前記圧縮データ格納手段から前記動画像データを読み出し、該動画像データに従って前記画像表示装置に表示信号を出力して、前記画像表示装置における画像表示を行う画像表示制御手段と、を備え、
前記演出制御手段は、前記データ再生手段による動画再生が停止されている期間を計測する停止期間計測手段を含み、
前記動画再生開始手段は、前記停止期間計測手段による計測期間にもとづいて、前記データ再生手段による動画再生の停止期間が終了したことを判定する
請求項１記載の遊技機。
【手続補正２】
【補正対象書類名】明細書
【補正対象項目名】００１１
【補正方法】変更
【補正の内容】
【００１１】
【課題を解決するための手段】
本発明の第一の観点にかかる遊技機は、遊技者が所定の遊技を実行可能であり、所定の遊技の結果として特定結果（例えば、有効ライン上に確定表示されている各図柄が同一図柄となっている表示結果）が得られたときに遊技者にとって有利な特定遊技状態（例えば、大当り遊技状態）とする遊技機であって、遊技演出に用いられる画像を表示する画像表示装置（例えば可変表示装置６によって構成される画像表示装置６ａ、画像表示装置５４０）と、動き補償予測符号化による圧縮データを含む動画像データを格納する圧縮データ格納手段（例えばＣＧＲＯＭ８３）８０ａと、圧縮データ格納手段に格納されている動画像データから画像データを復号して、所定の格納領域にフレーム単位で格納するデータ伸張手段（例えば動画圧縮・伸張部８９におけるステップＳ２０６を実行する部分）８０ｂと、データ伸張手段によって所定の格納領域に格納された画像データを用いて、フレーム毎に画像を画像表示装置に順次表示させることによって動画再生を行うデータ再生手段（例えばＧＣＬ８１におけるステップＳ２２１を実行する部分）８０ｃと、所定の静止対象画像を表示するときに、データ伸張手段によって所定の格納領域に格納されている新たなフレームの画像データを用いた画像の表示を、データ再生手段に停止させる画像表示停止手段と、画像表示停止手段によって新たな画像データを用いた画像の表示が停止された後、所定の格納領域に格納された静止対象画像データ（例えば静止表示対象ピクチャを示す画像データ）を用いて静止対象画像（例えば図１５（Ｃ）に示す画像）の表示を繰り返し実行することにより、該静止対象画像を静止表示する静止対象画像表示手段と、静止対象画像表示手段による静止対象画像の静止表示が完了したあと、画像表示停止手段に停止させられた新たなフレームの画像データを用いた画像の表示をデータ再生手段に開始させて、動画像の動画再生を行わせる動画再生開始手段（例えばＧＣＬ８１におけるステップＳ２２５の処理が再開されて最初のステップＳ２２１の処理が実行されたあとの動画再生処理を実行する部分）８０ｃｅとを含むことを特徴とする。
また、遊技機は、発光体、音出力装置および画像表示装置を用いた遊技演出の制御を遊技演出のパターン毎に予め定められたプロセスデータに従って行う演出制御手段と、データ伸長手段と、データ再生手段と、画像表示停止手段と、静止対象画像表示手段と、動画再生開始手段とを含み、演出制御手段からの指示に従って、圧縮データ格納手段から動画像データを読み出し、該動画像データに従って画像表示装置に表示信号を出力して、画像表示装置における画像表示を行う画像表示制御手段と、を備え、演出制御手段は、データ再生手段による動画再生が停止されている期間を計測する停止期間計測手段を含み、動画再生開始手段は、停止期間計測手段による計測期間にもとづいて、データ再生手段による動画再生の停止期間が終了したことを判定する構成とされていてもよい。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】０１４６
【補正方法】変更
【補正の内容】
【０１４６】
【発明の効果】
以上のように、請求項１記載の発明では、所定の静止対象画像を表示するときに、データ伸張手段によって所定の格納領域に格納されている新たなフレームの画像データを用いた画像の表示を、データ再生手段に停止させる画像表示停止手段と、画像表示停止手段によって新たな画像データを用いた画像の表示が停止された後、所定の格納領域に格納された静止対象画像データを用いて静止対象画像の表示を繰り返し実行することにより、該静止対象画像を静止表示する静止対象画像表示手段と、静止対象画像表示手段による静止対象画像の静止表示が完了したあと、画像表示停止手段に停止させられた新たなフレームの画像データを用いた画像の表示をデータ再生手段に開始させて、動画像の動画再生を行わせる動画再生開始手段とを含むことを特徴とするので、動画像演出中に表示画面の変化がない場面が存在する場合に、そのような場面を表示させるための動画像データを用意しておく必要をなくすことができ、静止表示を行うための動画像データを削減することができる。従って、動画像データ全体のデータ量を低減させることができ、動画像データの格納領域の必要容量を抑えることができる。
【手続補正６】
【補正対象書類名】明細書
【補正対象項目名】０１４７
【補正方法】削除
【補正の内容】
【手続補正７】
【補正対象書類名】明細書
【補正対象項目名】０１４８
【補正方法】削除
【補正の内容】